(57)【要約】      （修正有）【課題】座った状態においては傘が倒れることがなく、立った状態でも、安定して吊り下げた状態を容易に維持することができるシンプルな構成の傘ホルダーを提供する。【解決手段】巻いた傘地の外周面を着脱自在に巻き止める帯状の保持体と、保持体に連結し、一端が開閉自在の輪状のメインストラップ５と、メインストラップに連結し、着脱自在の輪状のサブストラップ６とからなり、メインストラップは、傘の軸周りをメインストラップの輪状内に収めて保持体と係合固定する。保持体は軟質素材の帯状であって、保持体のオモテ面２ａの一端に係合部材１０ａを設け、オモテ面の略中央部に伸縮性を備えた留め部材３の一端を固定し、留め部材の先端には、係合部材と係合する被係合部材１１ａを設けた。【選択図】図１
0003228974.tif 000002
【実用新案登録請求の範囲】
【請求項１】
巻いた傘地の外周面を着脱自在に巻き止める帯状の保持体と、  
該保持体に連結し、一端が開閉自在の輪状のメインストラップと、
該メインストラップに連結し、着脱自在の輪状のサブストラップとからなり、
前記メインストラップは、傘の軸周りを該メインストラップの輪状内に収めて保持体と係合固定することを特徴とする傘ホルダー。
【請求項２】
前記保持体は軟質素材の帯状であって、
該保持体のオモテ面の一端に係合部材を設け、
該オモテ面の略中央部に伸縮性を備えた留め部材の一端を固定し、
該留め部材の先端には、前記係合部材と係合する被係合部材を設けた請求項１に記載の傘ホルダー。
【請求項３】
前記保持体の裏面の少なくとも一部に吸水性のある素材を用いた
請求項１又は請求項２のいずれかに記載の傘ホルダー。
【考案の詳細な説明】
【技術分野】
【０００１】
本考案は、傘ホルダーに関するものである。
【背景技術】
【０００２】
雨天又は雨天が予想される日は、携帯した傘、特に長尺の傘の扱いに悩まされる。電車やバスなどの公共交通機関の中では、濡れた傘が他人に触れないよう配慮しなければならない。片手に鞄を持って立った状態では、もう片方の手で手元（傘の持ち手部分）を握り、倒れないように支えるほかないが、そうすると両手が塞がってしまう。
一方、手元を前腕に引っ掛けて、読書やスマートフォンを操作する人がいるが、手元の開放側を外向きに引っ掛けた場合には、石突きが外方向に傾きやすくなり、混み合った車両内では好ましくない。椅子等に腰掛けた状態でも、一方の手で傘を支える必要があるため、片手でタブレットの操作や読書の頁捲りが上手くゆかず、何かと煩わしい。
このように傘を携帯したときには、何かと不便さを耐え忍んでいるのが現状であるが、ここで、特許文献１乃至特許文献３に記載の技術が知られている。
【０００３】
特許文献１に記載の技術は、一方の留め部材の端部に傘を挟むクリップ部が設けられ、他方の留め部材の端部に取付箇所との連結用の挟み止め具が設けられ、各紐状部材が自動巻き取り機構を備えたケースに巻回状に納められていると共に、少なくとも何れか片方の紐状部材がケースから引出し自在に形成されたものである。
【０００４】
特許文献２に記載の技術は、２個のリング状に形成可能なゴムシートのそれぞれを連結具で連結してなる構成である。
【０００５】
特許文献３に記載の技術は、リング状の素材に合成樹脂の特性を生かした脱着可能な持ち手を装着することにより、傘を使用しない時に、傘をリング状の素材の中に差し込むだけで携帯をし易くしたものである。
【先行技術文献】
【特許文献】
【０００６】
【特許文献１】実用新案登録第３１９９８５８号公報
【特許文献２】特開２０１８−６８９９６号公報
【特許文献３】特開２０１２−４４１号公報
【考案の概要】
【考案が解決しようとする課題】
【０００７】
特許文献１に記載の技術によれば、クリップ部と挟み止め具を利用することで、傘をカバンや身体等の取り付け箇所に簡単、迅速に保持でき、座った状態でも歩行中でも、手を使うことなく、傘を倒れないように保持できる、とする。
しかし、当該考案によれば、座った状態でも、立った状態でも、各保持姿勢に合わせて、適宜、紐状部材を巻取り機構から必要長を引出す作業と、傘のどの部位をクリップ部で挟むかの調整が必要となる。さらには巻取り機構など物品全体としての構造が複雑である。
【０００８】
特許文献２に記載の技術によれば、傘の手元に装着したリングと、膝に置かれた手持ちのカバンのもち手に装着されたリングを連結具で連結して、傘の前後左右の揺れを抑止することから、傘から手を離しても倒伏することがない、とする。
しかし、当該発明においては、利用者が立った状態における傘の姿勢制御については想定されていない。
【０００９】
特許文献３に記載の技術によれば、傘を持ち歩く場合に、支点が下がり地面に接触することがなく傘の携帯が容易になる、とする。
しかし、当該発明のように、支点が下がるということは、保持者の動きに伴う揺れにより、傘の姿勢が安定せず、まっすぐに吊り下げた状態を維持しづらい。結果、電車やバスなどの公共交通機関内で、雨に濡れた石突が周囲の人に触れてしまうという問題は解消されない。
【００１０】
そこで、本考案は、椅子等に腰掛けた状態においては傘が倒れることがなく、立った状態でも、傘を真っすぐに安定して吊り下げた状態を容易に維持できるシンプルな構成の傘ホルダーを提供することを目的とする。
【課題を解決するための手段】
【００１１】
上記課題を解決するため、請求項１に記載の考案は、巻いた傘地の外周面を着脱自在に巻き止める帯状の保持体と、該保持体に連結し、一端が開閉自在の輪状のメインストラップと、該メインストラップに連結し、着脱自在の輪状のサブストラップとからなり、前記メインストラップは、傘の軸周りを該メインストラップの輪状内に収めて保持体と係合固定することを特徴とする。
【００１２】
また、請求項２に記載の考案は、請求項１の記載の構成において、前記保持体は軟質素材の帯状であって、該保持体のオモテ面の一端に係合部材を設け、該オモテ面の略中央部に伸縮性を備えた留め部材の一端を固定し、該留め部材の先端には、前記係合部材と係合する被係合部材を設けたことを特徴とする。
【００１３】
また、請求項３に記載の考案は、請求項１又は請求項２のいずれかの記載の構成において、前記保持体の裏面の少なくとも一部に吸水性のある素材を用いたことを特徴とする。
【考案の効果】
【００１４】
請求項１に係る考案によれば、利用者が椅子等に腰を掛けた状態においては、輪状ストラップを手首に通すことで、ほぼ真っすぐに安定した状態で傘を容易に支持することができる。傘を巻き止めた保持体の位置を着座時の太ももや膝の高さに合わせていれば、濡れた傘が直接スカートやズボンに触れることもない。立っている状態においては、ストラップが傘の軸周りを輪状内に収めて固定しているので、ほぼ真っすぐに安定して吊り下げることが可能である。
上記効果は、傘を、ＸとＹの二箇所の支点（図５）、即ち、「線」で支えているからである。かかる構成でなく、傘の軸周りをメインストラップの輪状内に収めない構成とした場合には、支点がＹのみ、即ち「点」で支えることとなり、傘の姿勢制御の安定性は望めない。
【００１５】
請求項２に係る考案によれば、伸縮性を備えた留め部材を用いたことで、直径の異なる傘をも容易に巻き止めることが可能である。
【００１６】
請求項３に係る考案によれば、保持体の裏面に設けた吸水性素材が傘地の雫を吸い取るため、衣服等を濡らすことがない。
【図面の簡単な説明】
【００１７】
【図１】傘ホルダーの全体図である。
【図２】傘ホルダーのオモテ面の図である。
【図３】保持体を傘に巻き止める様子を示す図である。
【図４】傘の軸周りをメインストラップの輪状内に収める様子を示す図である。
【図５】傘ホルダーの立位での使用状態を示す図である。
【図６】傘ホルダーの座位での使用状態を示す図である。
【図７】傘ホルダーを収納した状態を示す図である。
【考案を実施するための形態】
【００１８】
以下、本考案の実施の形態について、図面を参照しながら説明する。
図１は、本実施の形態に係る傘ホルダー１の全体を示す図であり、図２は、傘ホルダー１をオモテ面側、即ち、傘の外周面に接するウラ面側とは反対側の面から見た図である。
【００１９】
傘ホルダー１は、保持体２と、メインストラップ５、サブストラップ６とから構成される。
【００２０】
保持体２は、軟質素材の帯状体である。具体的にはＰＶＣと呼ばれるポリ塩化ビニル（ｐｏｌｙｖｉｎｙｌ ｃｈｌｏｒｉｄｅ）などの合成樹脂又はこれと同等の素材を用いてなる。本実施の形態においては、難燃加工が施されたＰＶＣを使用するが、本考案の目的を達成できるものであれば、特定の素材に限定されない。
また、本実施の形態において、保持体２は、縦２００ｍｍ、横１８５ｍｍの矩形とするが、サイズや形状は適宜変更可能である。
【００２１】
保持体２には、オモテ面２ａの一端に係合部材１０ａを設け、該オモテ面２ａの略中央部に、伸縮性を備えた留め部材３の一端を固定し、該留め部材３の先端には前記係合部材１０ａと係合する被係合部材１１ａを設けてなる。
また、該保持体２のウラ面２ｂには、マイクロファイバーなど吸水性に優れた素材を用いた領域４を設け、傘についた雫を速やかに吸い取る構成とした。
【００２２】
メインストラップ５は、その一端がＤの字形の環状金具(以下、「Ｄカン」と称す。）２０を介して前記保持体２に連結し、適宜開放される他端の先端には係合部材１１Ｃを設け、略中央部には固定されたＤカン２１を設けてなる。
メインストラップ５の素材は、傘を吊り下げる程度に一定の強度を備えていれば特に限定されず、ポリエステルやナイロンその他公知の素材を用いてよい。本実施の形態においては、ナイロン製の平織りしたストラップを用いてなる。
メインストラップ５の全長、即ち、輪状を解いた長さは、本実施の形態において３５０ｍｍとする。但し、適宜設計変更することを妨げない。
【００２３】
尚、保持体２のオモテ面２ａには、メインストラップ５の延長線上に補強帯５ｓを設ける。該補強帯５ｓを設けることで、傘への装着がしやすくなり、使用時の安定性が増す。
【００２４】
サブストラップ６は、両端にナスカン３０、３１を設け、本考案を使用する際には、前記メインストラップ５のＤカン２１に取り付けて輪状とし、手首等に掛けて使用する（使用方法については後述する。）
サブストラップ６の素材は、本考案の効果を奏する一定の強度を備えたものであれば、ポリエステル、ポリカーボネート、ポリプロピレン、ナイロンや皮革その他公知の素材を用いてよい。本実施の形態においては、ポリエステルを用いてなる。尚、直接皮膚に触れることを考慮し、肌触りのよい素材を用いることが好ましい。
サブストラップ６の全長、即ち、輪状を解いた長さは、本実施の形態において２４０ｍｍとするが、適宜設計変更してよい。
【００２５】
次に、本考案の傘ホルダーの装着・使用方法について説明する。
図３は、保持体２を傘４０に巻き止める様子を示しており、図３（ａ）は巻き止める直前を、図３（ｂ）は巻き止めた後を示す図である。図４は、傘４０の軸周りをメインストラップ５の輪状内に収める様子を示した図である。図５は、利用者が立っているときの傘ホルダー１の状態を示す図である。図６は、利用者が椅子に腰掛けているときの傘ホルダー１の状態を示す図である。図７は、メインストラップ５とサブストラップ６を傘ホルダー１の内側に収納した状態を示す図である。
【００２６】
＜装着方法＞
傘地を巻いた傘４０の重心位置よりやや手元寄りの位置において傘地の外周面へ保持体２を巻き付け（図３（ａ））、該保持体２のオモテ面２ａの一端に設けた係合部材１０ａと、留め部材３の先端に設けた被係合部材１１ａとを係合する（図３（ａ）（ｂ））。留め部材３は、ポリウレタン繊維を一定程度混用した伸縮性のある素材を用いており、引き伸ばしながら留めることで該保持体２が、傘４０をしっかりと巻き止めることができる。
保持体２の傘への巻き付け箇所は、椅子等に腰掛けたときに膝や太もも辺りの高さに相当する位置が好ましい。このようにすることで、濡れた傘で自身のスカートやズボンを濡らすことを防ぐことができる。
【００２７】
次に、図４に示すように、解放されたメインストラップ５の一端を、傘４０の軸周りを囲むように輪状内に収めるように回し掛け、該ストラップ５の他端が保持体２へ固定された位置近傍に設けた係合部材１0ｂと、該ストラップ５の一端に設けた被係合部材１１Ｃとを係合固定する。
【００２８】
＜図５／立っている状態＞
利用者が、サブストラップ６を手首等に掛けて立っているときは、ほぼ垂直に近い角度で傘４０をつり下げることができる。
【００２９】
＜図６／座っている状態＞
利用者が、サブストラップ６を手首等に掛けて電車内などで腰掛けているときにも、ほぼ垂直に近い角度で傘４０を安定して支えることができる。
このように、本考案によれば、立っているときでも、椅子等に腰掛けているときでも、両手が空くことから、読書や、スマートフォン又はタブレットの操作も不自由なく行うことができるようになる。
【００３０】
＜図１、図７／収納時の状態＞
収納時は、メインストラップ５、サブストラップ６を保持体２のウラ面２ｂ内に畳み込み、保持体２のオモテ面２ａの一端に設けた係合部材１０ａと、他端に設けた被係合部材１１ｂとを係合固定する。
【産業上の利用可能性】
【００３１】
本考案は、傘のみならず、杖や釣り竿、図面を入れる丸筒といった長尺物を携帯する場合にも利用することができる。
【符号の説明】
【００３２】
１    傘ホルダー
２    保持体
２ａ  保持体（オモテ面）
２ｂ  保持体（ウラ面）
３    留め部材
４    吸水素材
５    メインストラップ
５ｓ  補強帯
６    サブストラップ
１０  係合部材
１１  被係合部材
２０、２１  連結金具（Ｄカン）  
３０、３１  留め金具（ナスカン）カン金具
４０  傘
【図１】
0003228974.tif 000003
【図２】
0003228974.tif 000004
【図３】
0003228974.tif 000005
【図４】
0003228974.tif 000006
【図５】
0003228974.tif 000007
【図６】
0003228974.tif 000008
【図７】
0003228974.tif 000009